(57)【特許請求の範囲】
【請求項１】
上竪樋と下竪樋とに分割された竪樋の前記上竪樋に接続させる筒状の上側接続部と、
前記上側接続部の下方に設けられ、前記下竪樋に接続させる筒状の下側接続部と、を備え、
前記下側接続部は、筒状の周壁部を有し、
前記上側接続部は、前記周壁部を覆う筒状のカバー部を有し、
前記周壁部及び前記カバー部により、雨水を前記上竪樋の管路と前記下竪樋の管路とを結んだ平常時の流水管路の外側に導く導入流路と、前記雨水を下方に向けて流下させる排出流路とが形成され、
前記導入流路と前記排出流路とは同一周上に隣り合っているオーバーフロー継手。
【請求項２】
前記周壁部の周方向に形成された凹凸により、前記平常時の流水管路の外側に空間を拡げる凹所が上下方向に延びて形成された前記雨水の導入溝と、前記導入溝の形成により相対的に前記流水管路側に凹み、軸線方向に延びる前記雨水の排出溝とが形成され、
前記上側接続部は、上方から前記周壁部の内側に挿入されて前記周壁部の上端部を内側ら覆う雄側接続壁部を備え、
前記カバー部は、上方から前記周壁部の外側に配されて前記排出溝の側方開口部の少なくとも一部を覆い、
前記導入溝と前記雄側接続壁部とが前記導入流路を形成し、前記排出溝と前記カバー部とが前記排出流路を形成している請求項１に記載のオーバーフロー継手。
【請求項３】
前記雄側接続壁部は、下端から上方に切り欠かれた切欠部が周方向に複数形成されている請求項２に記載のオーバーフロー継手。
【請求項４】
前記周壁部の前記排出溝の上方には、前記雄側接続壁部を内側に嵌入させた際に前記切欠部を覆う舌片が軸線方向上方に突出している請求項３に記載のオーバーフロー継手。
【請求項５】
前記上側接続部及び前記下側接続部の少なくとも一方には、前記上側接続部と前記下側接続部との周方向の位置決めをする表示部が形成されている請求項３又は４に記載のオーバーフロー継手。
【請求項６】
前記排出流路の総断面積が５ｃｍ2以上１６ｃｍ2以下である請求項１から５のいずれか一項に記載のオーバーフロー継手。
【請求項７】
前記上竪樋と前記上側接続部とは、前記上側接続部を前記上竪樋の管路に挿入して液密に接着されているとともに、地上から４０ｃｍ以上２．４ｍ以下の位置で竪樋に設けられている請求項１から６のいずれか一項に記載のオーバーフロー継手。
【請求項８】
排水量が５０Ｌ／分以上１２０Ｌ／分以下である請求項１から７のいずれかに記載のオーバーフロー継手。
【発明の詳細な説明】
【技術分野】
【０００１】
本発明は、オーバーフロー継手に関する。
【背景技術】
【０００２】
従来より、建物に上下方向に設置される縦樋が異物で詰まったり、排水可能量を超える降水があったりした場合に備えて、縦樋の途中で流水をオーバーフローさせる手段として、例えば、下記特許文献１の縦樋のオーバーフロー構造が知られている。
この縦樋のオーバーフロー構造は、上樋と下樋とを連結させる鉛直管に枝管が設けられている。この枝管は、上方に向かって開口するオーバーフロー部を構成している。
【先行技術文献】
【特許文献】
【０００３】
【特許文献１】特許第５３２１４０７号公報
【発明の概要】
【発明が解決しようとする課題】
【０００４】
しかし、従来のオーバーフロー構造は、オーバーフロー部が上方に向かって開口しているため異物を取り込んで詰まらせやすく、降雨時に所望の機能を果たすことができないという問題があった。
そこで、本発明は、異物の侵入を防止して非常時に雨水を適切にオーバーフローさせるオーバーフロー継手を提供する。
【課題を解決するための手段】
【０００５】
本発明のオーバーフロー継手は、上竪樋と下竪樋とに分割された竪樋の前記上竪樋に接続させる筒状の上側接続部と、前記上側接続部の下方に設けられ、前記下竪樋に接続させる筒状の下側接続部と、を備え、前記下側接続部は、筒状の周壁部を有し、前記上側接続部は、前記周壁部を覆う筒状のカバー部を有し、前記周壁部及び前記カバー部により、雨水を前記上竪樋の管路と前記下竪樋の管路とを結んだ平常時の流水管路の外側に導く導入流路と、前記雨水を下方に向けて流下させる排出流路とが形成され、前記導入流路と前記排出流路とは同一周上に隣り合っている。
この構成によれば、下竪樋から上昇してきた雨水の導入流路及び排出流路を同一周上に隣り合って形成するため、雨水の流水経路を２層に抑えることができる。
【０００６】
本発明の前記周壁部の周方向に形成された凹凸により、前記平常時の流水管路の外側に空間を拡げる凹所が上下方向に延びて形成された前記雨水の導入溝と、前記導入溝の形成により相対的に前記流水管路側に凹み、軸線方向に延びる前記雨水の排出溝とが形成され、前記上側接続部は、上方から前記周壁部の内側に挿入されて前記周壁部の上端部を内側ら覆う雄側接続壁部を備え、前記カバー部は、上方から前記周壁部の外側に配されて前記排出溝の側方開口部の少なくとも一部を覆い、前記導入溝と前記雄側接続壁部とが前記導入流路を形成し、前記排出溝と前記カバー部とが前記排出流路を形成していてもよい。
本発明の周壁部は、周方向に凹凸形状を形成することにより、同一周上に導入流路と前記排出流路とをシンプルに形成することができる。
【０００７】
本発明の前記雄側接続壁部は、下端から上方に切り欠かれた切欠部が周方向に複数形成されていてもよい。
この構成により、雄側接続壁部と雌側接続壁部との無用な重なりを防止して、オーバーフロー継手内の雨水の貯留スペースを確保することができる。
【０００８】
本発明の前記周壁部の前記排出溝の上方には、前記雄側接続壁部を内側に嵌入させた際に前記切欠部を覆う舌片が軸線方向上方に突出していてもよい。
この構成により、雄側接続壁部と雌側接続壁部との無用な重なりを防止して、オーバーフロー継手内の雨水の貯留スペースを確保することができる。
【０００９】
本発明の前記上側接続部及び前記下側接続部の少なくとも一方には、前記上側接続部と前記下側接続部との周方向の位置決めをする表示部が形成されていてもよい。
この構成により、上側接続部と下側接続部との周方向の位置合わせを容易にすることができる。
【００１０】
本発明の前記排出流路の総断面積は、５ｃｍ2以上１６ｃｍ2以下であってもよい。
この構成によれば、雨水の排水を効率よく行うことができる。
【００１１】
本発明の前記上竪樋と前記上側接続部とは、前記上側接続部を前記上竪樋の管路に挿入して液密に接着されているとともに、地上から４０ｃｍ以上２．４ｍ以下の位置で竪樋に設けられていてもよい。
これは、一般の住宅やマンションの２階のバルコニーの底部から地表までの高さ（即ち一階分の高さ）が３ｍ程度であるとして、上竪樋のオーバーフロー継手付近でサイフォン現象を発生させるためには、前記上竪樋の下端から上方に６０ｃｍ程度以上の長さ分の水量が必要となるからである。したがって、この構成によれば、オーバーフロー継手において有効にサイフォン現象を発生させることができる。
この構成によれば、雨水の排水を効率よく行うことができる。
【００１２】
本発明の排水量は、５０Ｌ／分以上１２０Ｌ／分以下であることが好ましい。
この構成によれば、雨水の排水を効率よく行うことができる。
【発明の効果】
【００１３】
本発明のオーバーフロー継手は、異物の侵入を防止して非常時に雨水を適切にオーバーフローさせるという効果を奏する。
【図面の簡単な説明】
【００１４】
【図１】本発明の第１の実施形態に係るオーバーフロー継手を、カバー部を省略して示した斜視図である。
【図２】本発明の第１の実施形態に係るオーバーフロー継手を示す縦断面図である。
【図３】本発明の第１の実施形態に係るオーバーフロー継手の上側接続部を示した縦断面図である。
【図４】本発明の第１の実施形態に係るオーバーフロー継手の下側接続部を示した上方斜視図である。
【図５】本発明の第１の実施形態に係るオーバーフロー継手の下方斜視図である。
【図６】本発明の第２の実施形態に係るオーバーフロー継手の下方斜視図である。
【図７】本発明の第２の実施形態に係るオーバーフロー継手の上側接続部を示した縦断面図である。
【図８】本発明の第２の実施形態に係るオーバーフロー継手の下側接続部を示した上方斜視図である。
【発明を実施するための形態】
【００１５】
以下、図面を参照して、本発明のオーバーフロー継手の実施形態について説明する。なお、以下の説明で用いる図の各部分の寸法は実際のものと同一とは限らず、適宜変更することができる。
【００１６】
図１又は図２に示すように、第１の実施形態のオーバーフロー継手１Ａが適用される竪樋２は、建物の外壁面（不図示）に沿って上下方向に設置されるものである。特に、オーバーフロー継手１Ａは、建物に設けられたバルコニーや陸屋根の下方に接続された竪樋２に好適に用いられる。竪樋２は略円筒形状に形成され、上竪樋２ａと下竪樋２ｂとに分割されている。
【００１７】
オーバーフロー継手１Ａは、主として以下の構成を有している。すなわち、オーバーフロー継手１Ａは、竪樋２の上下方向の中間部に設けられる。オーバーフロー継手１Ａは、上竪樋２ａを接続させる筒状の上側接続部３と、上側接続部３の下方に設けられ、下竪樋２ｂを接続させる筒状の下側接続部４とを備えている。オーバーフロー継手１Ａの下側接続部４は、筒状の周壁部５を有している。オーバーフロー継手１Ａの上側接続部３は、少なくとも筒状のカバー部６（図１では省略。図２参照）を有している。オーバーフロー継手１Ａには、周壁部５及びカバー部６により、上竪樋２ａの管路Ｈ１と下竪樋２ｂの管路Ｈ２とを直線状に結んだ平常時（すなわち、雨水が竪樋からオーバーフローしない程度の雨量のとき。以下同様。）の流水管路Ｈ３の外側に雨水を導く導入流路７と、雨水を下方に向けて流下させる排出流路８とが形成されている。導入流路７と排出流路８とは同一周（本実施形態では同一円周）Ｒ上に隣り合っている。
【００１８】
図２又は図３に示すように、上側接続部３は、上竪樋２ａの管路Ｈ１に嵌入させる円筒形状の差し口１０と、カバー部６と、雄側接続壁部１５とを備えている。
差し口１０は、外壁面１０ａが上竪樋２ａの内壁面２ｍと密接するように、外径寸法が上竪樋２ａの内径寸法と略同じ寸法に形成されている。差し口１０は、上竪樋２ａと液密になるように接着されている。この液密な差し口１０により上竪樋２ａの管路Ｈ１が縮径されており、豪雨の際には差し口１０部から上の上竪樋２ａ内に雨水が溜まって満水状態になるため、サイフォン現象を発生させることができる。
上側接続部３の周方向の一部には、竪樋２に形成されたリブＰ（図１参照）に嵌合させる凸部（表示部）１１が形成されている。
【００１９】
雄側接続壁部１５は、差し口１０の下端に連続して管状に形成された管体部１６と、管体部１６の下端に環状方向等間隔に設けられた、下方に延びる上舌片１７とを備えている。上舌片１７，１７同士の間には上方に切り込まれた切欠部１８が形成されている。
カバー部６は、後述する排出溝２８に雨水が流入した際に雨水が飛散しないようにさせるものであり、差し口１０の下端からテーパ状に拡径した後、雄側接続壁部１５に対して所定の間隔を空けて、軸線Ｌ１を中心として一定の径で下方に円筒状に形成されている。
【００２０】
図２又は図４に示すように、下側接続部４は、下竪樋２ｂの下部に設置される排水管（不図示。以下同様。）の排水容量を超える降雨時に雨水を受ける周壁部５と、下竪樋２ｂの内部に嵌入させる円筒形状の差し口１９とを有している。
【００２１】
図１又は図４に示すように、周壁部５は、全体として軸線Ｌ１を中心とする周方向に凹凸のある筒状に形成されている。具体的には、周壁部５は、雄側接続壁部１５の外周面に密着可能な円弧形状（すなわち通常の流水管路Ｈ３を形成する円弧形状）で、環状方向等間隔に設けられた複数の雌側接続壁部２０と、通常の流水管路Ｈ３の外側（本実施形態では径方向外方）に空間を拡げる凹所を形成し雨水を通常の流水管路Ｈ３の外側に導く複数の導入壁部２１とを周方向に交互に備えている。
【００２２】
導入壁部２１は、雌側接続壁部２０の側端２０ａ，２０ａから径方向に立ち上がる第１側壁部２２と、第１側壁部２２間に亘って設けられた第２側壁部２３と、第１側壁部２２及び第２側壁部２３の下端に配された底壁部２４とを備えている。これらの壁部により導入溝２７が形成されている。導入溝２７は、上方と流水管路Ｈ３に面する側方とが開口しており、下方が底壁部２４によって閉塞された構成となっている。底壁部２４は、管路Ｈ２に向かって下るように傾斜している。
導入壁部２１Ｙの底壁部２４には、竪樋２に形成されたリブＰ（図１参照）に嵌合させる凸部１１が形成されている。
【００２３】
なお、複数の導入壁部２１，２１の一つの導入壁部２１Ｙは、竪樋２のリブＰの外観に合わせて形成されている。
雌側接続壁部２０は、導入壁部２１の上端の高さ位置よりも上方に突出する下舌片３０を有している。
【００２４】
導入壁部２１により、周壁部５には、外壁面側から視て相対的に流水管路Ｈ３側に凹み、軸線Ｌ１方向に延びる雨水の排出溝２８が形成されている。また、導入溝２７及び排出溝２８は共に、凹みが上下方向に延在している。これらの導入溝２７と排出溝２８とは、径方向にではなく、同一の円周Ｒ上に、周方向に交互に形成された構成となっている。
【００２５】
図１又は図２に示すように、上側接続部３と下側接続部４とは、雄側接続壁部１５が雌側接続壁部２０，２０・・の内側に挿入された場合に、雄側接続壁部１５の上舌片１７が導入溝２７の一部（すなわち周壁部５の上端部）を塞ぐように配され、導入流路７を形成している。具体的には、雄側接続壁部１５の上舌片１７は導入溝２７の側方の開口を鉛直方向の寸法Ｘ１が好ましくは０ｍｍ−１０ｍｍ、より好ましくは０ｍｍ−５ｍｍとなる範囲で塞ぎ、同様の際に、雌側接続壁部２０の下舌片３０が雄側接続壁部１５の上舌片１７間に形成された切欠部１８を鉛直方向の寸法Ｘ２が好ましくは０ｍｍ−１０ｍｍ、より好ましくは０ｍｍ−５ｍｍとなる範囲で塞ぐように配されている。
【００２６】
そして、図５に示すように、カバー部６が周壁部５（図２参照）の全体を覆うように配された際に、カバー部６が図４に示す第２側壁部２３，２３に接しつつこれらに跨って配され、排出溝２８の径方向外側（すなわち側方開口部）を覆って下方に開口し、排出流路８を形成している。また、図２に示すように、切欠部１８が雌側接続壁部２０の下舌片３０で閉塞されて、管体部１６とカバー部６との間に雨水の一時貯留空間９が形成されている。
【００２７】
複数の排出流路８の総断面積は、５ｃｍ2以上１６ｃｍ2以下であればよく、更に８ｃｍ2以上１０ｃｍ2以下であれば最も好ましい。この範囲であれば、虫その他の動物等の侵入を防止しつつ排水量を確保することが可能となる。また、排水量は、５０Ｌ／分以上１２０Ｌ／分以下であれば良く、７０Ｌ／分以上１００Ｌ／分以下であることが最も好ましい。
【００２８】
差し口１９は、外壁面が下竪樋２ｂの内壁面２ｔに液密に嵌合可能なように、外形寸法が下竪樋２ｂの内径寸法と略同じ寸法に形成されている。
以上のように構成されたオーバーフロー継手１Ａは、地上から４０ｃｍ以上２．４ｍ以下の位置で竪樋２に設けられている。上竪樋２ａのオーバーフロー継手１Ａ付近でサイフォン現象を発生させるためには、竪樋２の径にもよるが、上竪樋２ａの下端から上方に概ね６０ｃｍ程度以上の高さ分の満水量が必要となる。一般の住宅やマンションの２階のバルコニーの底部から地表までの高さ（即ち一階分の高さ）は概ね３ｍ程度であるから、満水時でもバルコニー内に雨水が溜まってしまわないようにするため、オーバーフロー継手１Ａを設ける位置はバルコニーの底部から６０ｃｍ程度低い２．４ｍ以下であることが好ましい。
【００２９】
オーバーフロー継手１Ａの設置位置としては、予想冠水水位よりも高い位置に設置されていれば良いが、一般的な住宅の基礎の高さは概ね４０ｃｍ程度であるため、床下浸水時でも竪樋２内から排水するためにはオーバーフロー継手１Ａは４０ｃｍ以上の高さに設置することが好ましく、１ｍ以上の高さに設置するのが施工性や管理の面からより好ましい。
【００３０】
次に、オーバーフロー継手１Ａによる雨水の排水について説明する。
図１に示すように、平常時、雨水は上竪樋２ａから流下し、上側接続部３の差し口１０、雄側接続壁部１５、周壁部５の雌側接続壁部２０、及び下側接続部４の差し口１０の内壁面を伝って下竪樋２ｂに向かって流下する。雨水は導入溝２７内に入ることもあるが、下竪樋２ｂの排水量を超えていない限り、導入溝２７の第１側壁部２２、第２側壁部２３、及び底壁部２４の内面を伝って下方に流れる。そして、下竪樋２ｂと接続された図示しない排水管を通じて地中に埋設された雨水浸透枡等に排出される。
【００３１】
一方、排水管の排水量を超える豪雨時や雨水浸透枡が冠水している場合には、雨水が漸次下竪樋２ｂ内に溜まって水位が上がる。雨水の水位が周壁部５内に達すると雨水の一部は、平常時の流水管路Ｈ３及び導入溝２７内に一時貯留される。排水管の排水容量を超える降水量が導入溝２７の容積を超えない場合には、雨水は周壁部５内に一時貯留されつつ、漸次排水される。
【００３２】
排水管の排水容量を超える降水量が流水管路Ｈ３及び導入溝２７内の容積を超える場合、雨水は更に水位を上げて導入溝２７（導入流路７）の上方開口部に達し、隣り合う排出溝２８に溢流する。排出溝２８に溢流した雨水は排出溝２８及びカバー部６を伝って（すなわち排出流路８内を）流下しオーバーフロー継手１Ａから排水される。
【００３３】
このように、オーバーフロー継手１Ａによれば、一定時間内の降水量が多いときに、雨水を効率よく溢流させて不図示の排水管や竪樋２に連通するバルコニーの排水口において溢流させてしまうことを防止し、地面やバルコニーを浸水させることを回避することができる。
【００３４】
また、オーバーフロー継手１Ａは、導入流路７（導入溝２７）と排出流路８（排出溝２８）とを同一円周Ｒ上に隣り合うように交互に形成されているため、竪樋２に対して径方向に大きく出っ張ってしまうことを防止し、外観美麗な雨樋構造を形成することができるという効果を奏する。
【００３５】
また、オーバーフロー継手１Ａは、排出流路８が下方に向かって形成されているため、オーバーフロー継手１Ａの内部に異物が侵入することを有効に防止することができるという効果を奏する。
特にオーバーフロー継手１Ａは、図４に示すように、排出溝２８が下側接続部４の周方向に沿って間隔を空けて複数形成された構成となって、つまり排出溝２８が複数に区切られているため、虫等の異物の侵入をより有効に防止することができるという効果を奏する。
【００３６】
また、周壁部５には、通常の流水管路Ｈ３の外側に空間を拡げた導入溝２７が形成されているため、下竪樋２ｂから上がってきた雨水を一時的に貯留することができる。また、導入溝２７よりも上方には、更に雄側接続壁部１５とカバー部６とにより、雨水の一時貯留空間９が形成されている。したがって、オーバーフロー継手１Ａは、雨水のオーバーフローを遅らせて、下竪樋２ｂを介して雨水を可及的に不図示の排水口へ流下させることができるという効果を奏する。
【００３７】
また、上側接続部３は上竪樋２ａの内部に挿入され、オーバーフロー継手１Ａと上竪樋２ａ及び下竪樋２ｂとは液密に接着されており、かつ、オーバーフロー継手１Ａが地上から４０ｃｍ以上２．４ｍ以下の位置に設けられているため、サイフォン現象を発生させ、雨水を強力に排水させることができるという効果が得られる。またこのような高さに設置されていることにより、オーバーフロー継手１Ａが容易に水没してしまうことを回避することができるという効果が得られる。
【００３８】
また、オーバーフロー継手１Ａは、排出溝２８の断面積が十分に確保されているとともに、雨水の一時貯留空間９が形成されているため、コンパクトに形成しても排水量が５０以上１００Ｌ／分以下の排水量を確保やすいという効果が得られる。
また、雄側接続壁部１５の下方に突出する上舌片１７を有し及び雌側接続壁部２０に上方に突出する下舌片３０を有しているため、上側接続部３と下側接続部４との重なりに遊びを持たせることができる。したがって、オーバーフロー継手１Ａは、上下位置の多少の設置ずれを吸収し、雨水漏れを防止することができるという効果が得られる。
【００３９】
また、オーバーフロー継手１Ａの上側接続部３の周方向の所定の位置及び下側接続部４の導入壁部２１Ｙの底壁部２４には、それぞれ上竪樋２ａ及び下竪樋２ｂのリブＰに嵌合させる凸部１１，１１が形成されている。したがって、上竪樋２ａ及び下竪樋２ｂを介して上側接続部３と下側接続部４との位置関係を容易に決めることができるという効果が得られる。
【００４０】
なお、上記実施形態において、雄側接続壁部１５及び雌側接続壁部２０は、それぞれ上舌片１７及び下舌片３０を有した構成となっているが、上舌片１７及び下舌片３０を有さず雄側接続壁部１５の下端と雌側接続壁部２０の上端とが重なり合っていてもよい。
【００４１】
次に、本発明の第２の実施形態について図６−図８を参照して説明する。本実施形態において第１の実施形態と同一の構成については同一の符号を付しその詳細な説明を省略する。
【００４２】
第１の実施形態のオーバーフロー継手１Ａは、竪樋２及びオーバーフロー継手１Ａが略円筒状に形成されたものを例として説明したが、本実施形態のオーバーフロー継手１Ｂは、断面形状が略楕円形状に形成された竪樋２に適用可能な形状に形成されている。
具体的には、オーバーフロー継手１Ｂは、略楕円形状に形成された上側接続部３と下側接続部４とを備えている。
【００４３】
オーバーフロー継手１Ｂは、外形を略楕円形状とし、導入溝２７，排出溝２８，上舌片１７及び下舌片３０の数を異ならせ、かつ、導入壁部２１がすべて同形状に形成されている点を除いて、第１の実施形態のオーバーフロー継手１Ａと同様に形成され、同様の作用及び効果を奏する。
【００４４】
なお、本発明は、第１の実施形態及び第２の実施形態において円筒形状又は略楕円形状の竪樋２に適用する場合を例として説明したが、他の断面形状を有する竪樋に適宜形状を合わせることで適用することができる。
また、導入溝２７，排出溝２８並びに上舌片１７及び下舌片３０の数は適宜設定することができ、また、これらの設置位置も、環状方向等間隔に形成されているものに限定されず、雨水の排出を集中的に行いたい箇所その他の事情に応じて適宜設定することができる。
【００４５】
また上記実施形態においては、竪樋２の外周面に軸線Ｌ１方向に延びるリブＰを有したものを例として説明したが、リブＰを有していない竪樋２にも適用することができる。
また、第１の実施形態では、上側接続部３と下側接続部４との周方向の位置決めをする表示部として凸部１１を用いた例を説明したが、表示部としてはインクで表示をしたものその他適宜適用することができる。
【符号の説明】
【００４６】
１Ａ，１Ｂ…オーバーフロー継手，２…竪樋，２ａ…上竪樋，２ｂ…下竪樋，３…上側接続部，４…下側接続部，５…周壁部，６…カバー部，Ｈ３…平常時の流水管路，７…導入流路，８…排出流路，１１…凸部（表示部），２７…導入溝，２８…排出溝，１５…雄側接続壁部，１７…上舌片，１８…切欠部，２０…雌側接続壁部，３０…下舌片
【図１】
0006510811.tif 000002
【図２】
0006510811.tif 000003
【図３】
0006510811.tif 000004
【図４】
0006510811.tif 000005
【図５】
0006510811.tif 000006
【図６】
0006510811.tif 000007
【図７】
0006510811.tif 000008
【図８】
0006510811.tif 000009